(57)【要約】【課題】簡易な構成で自己診断可能なデータを容易に報知する。【解決手段】撮影によって得られた画像データの撮影画像に含まれる人物の顔画像の内の特定領域を設定し、該特定領域内の画像の画像データに含まれる色成分を前記人物を診断するための診断データとして演算し、演算した診断用データと基準データとを比較して、該診断用データの基準データからの変動量をＬＣＤ３４に表示する。このため、デジタルカメラ１０において、簡易な構成で、自己診断可能なデータを容易に報知することができる。【選択図】  図１
2004329620.tif 000002
【特許請求の範囲】
【請求項１】
人物を被写体として撮影した撮影画像の画像データを得る画像データ取得手段と、
前記撮影画像に含まれる顔画像の一部を特定領域として設定する設定手段と、
前記特定領域に対応する画像データに含まれる色成分を前記人物を診断するための診断データとして得る演算手段と、
前記診断のための前記色成分の基準データを記憶する記憶手段と、
前記基準データに対する前記診断データの変動量を算出する変動量算出手段と、
前記変動量を表示する表示手段と、
を備えたことを特徴とする撮像装置。
【請求項２】
前記特定領域は、前記顔画像の白目及び頬の少なくとも一方に相当する領域であることを特徴とする請求項１に記載の撮像装置。
【請求項３】
前記記憶手段は、前記演算手段により得られた診断データを時系列的に記憶し、前記変動量算出手段は、前記時系列的に記憶した１又は複数の診断データから、予め定めた診断条件に従って基準診断データを求め、求めた基準診断データを基準データとして用いることを特徴とする請求項１または請求項２に記載の撮像装置。
【請求項４】
前記変動量算出手段は、前記診断条件として、所定日以前の診断データまたは複数の診断データの平均値の診断データを基準データとして用いることを特徴とする請求項３に記載の撮像装置。
【請求項５】
前記設定手段、前記演算手段、前記変動量算出手段、及び前記表示手段の各々を作動指示するための指示手段を更に備えたことを特徴とする請求項１乃至請求項４の何れか１項に記載の撮像装置。
【請求項６】
前記診断データは、黄色成分の色データであることを特徴とする請求項１乃至請求項５の何れか１項に記載の撮像装置。
【発明の詳細な説明】
【０００１】
【発明の属する技術分野】
本発明は、撮像装置に係り、特に撮影によって得られた人物の顔画像を含む画像データを得るデジタルカメラ等の撮像装置に関する。
【０００２】
【従来の技術】
従来、撮像装置、特にデジタルカメラでは、撮影によって撮影画像の画像データを得ることが行われている。このようなデジタルカメラにおいて、得られた画像データを接続インターフェースを介して接続されたパーソナルコンピュータ（ＰＣ）から通信回線を介して外部へ送信し、外部に設けられたＰＣ側で受信した画像データの分析を行う技術が開示されている（例えば、特許文献１参照）。
【０００３】
この技術によれば、デジタルカメラによって撮影された在宅患者の顔画像の画像データを、在宅患者の家庭側から通信回線を介して病院側に設けられたＰＣへ送信する。病院側に設けられたＰＣでは、受信した画像データの各色データから血液分布濃度等の各種診断に必要な所定データを演算し、その演算結果を表示する。このため、医者が遠隔地から在宅患者の診断を行うことができるようになっている。
【０００４】
【特許文献１】
特開平１０−１６５３７５号公報  （第３頁―４頁、図１）
【０００５】
【発明が解決しようとする課題】
しかしながら、上記従来技術では、画像データを外部から受信するとともに受信した画像データから各種診断に必要な所定データを演算するための専用の装置を病院側に用意する必要があった。また、画像データを送信する在宅患者の家庭側では、送信した画像データに基づく演算結果を得ることができないという問題があった。
【０００６】
本発明は、上記問題点を解決するためになされたもので、簡易な構成で自己診断可能なデータを容易に報知することが可能な撮像装置を提供することを目的とする。
【０００７】
【課題を解決するための手段】
上記目的を達成するために本発明の撮像装置は、人物を被写体として撮影した撮影画像の画像データを得る画像データ取得手段と、前記撮影画像に含まれる顔画像の一部を特定領域として設定する設定手段と、前記特定領域に対応する画像データに含まれる色成分を前記人物を診断するための診断データとして得る演算手段と、前記診断のための前記色成分の基準データを記憶する記憶手段と、前記基準データに対する前記診断データの変動量を算出する変動量算出手段と、前記変動量を表示する表示手段と、を備えることを特徴としている。
【０００８】
本発明の撮像装置は、画像データ取得手段を備えており、人物を被写体として撮影した撮影画像の画像データを得る。設定手段は、得られた画像データの撮影画像に含まれる人物の顔画像の一部を特定領域として設定する。特定領域は、該画像データの撮影画像に含まれる顔画像の人物の体調や病状等の変化を診断可能な色成分を含む顔画像の領域である。演算手段は、設定手段によって設定された特定領域に対応する画像データから診断データを得る。診断データは、該人物を診断するためのデータであって、画像データに含まれる色成分のデータである。記憶手段は、該人物を診断するための色成分の基準となる基準データを記憶する。変動量算出手段は、基準データに対する診断データの変動量を算出する。算出された変動量は、表示手段に表示される。
【０００９】
このように、撮影画像に含まれる人物の顔画像の一部を特定領域として設定し、該特定領域に対応する画像の画像データから診断データを演算し、演算した診断データの基準データからの変動量を算出して表示する。従って、簡易な構成で自己診断可能なデータを容易に報知することができる。
【００１０】
前記特定領域は、前記顔画像の白目及び頬の少なくとも一方に相当する領域とすることができる。人物の体調の変化が色成分の違いとしてあらわれやすい白目及び頬の少なくとも一方に相当する領域を特定領域とすることができるので、該人物を診断するための診断データの基準データからのより明確な変動値を報知することができる。
【００１１】
前記記憶手段は、前記演算手段により得られた診断データを時系列的に記憶し、前記変動量算出手段は、前記時系列的に記憶した１又は複数の診断データから、予め定めた診断条件に従って基準診断データを求め、求めた基準診断データを基準データとして用いることができる。
【００１２】
記憶手段は、演算手段により得られた診断データを時系列的に記憶することができる。例えば、診断データが得られた日付及び時間を示すデータに関連付けて該診断データを記憶することができる。変動値算出手段は、時系列的に記憶した１または複数の診断データから、予め定めた診断条件に従って基準診断データを求め、求めた基準診断データを基準データとして用いることができる。予め定めた診断条件に従って求められた基準診断データには、時系列的に記憶した診断データの内の最低値を示す診断データ、時系列的に記憶した診断データの内の特定の日時の診断データ、または時系列的に記憶した複数の診断データの平均値の診断データ等がある。
【００１３】
このため、同一人物を被写体とすれば、該当人物の時系列的に記憶した１または複数の診断データから求められた基準診断データを基準データとして変動量を算出することができるので、診断対象となる人物各々に応じた基準データからの診断データの変動量を容易に報知することができる。
【００１４】
前記変動量算出手段は、前記診断条件として、所定日以前の診断データまたは複数の診断データの平均値の診断データを基準データとして用いることができる。診断条件として、前日、前々日、一ヶ月前等の所定日以前の診断データを基準データとして用いることができるとともに、複数の診断データの平均値の診断データを基準データとして用いることができるので、診断対象となる人物に対して、該人物の診断データの変動量の経時変化を報知することが可能となる。
【００１５】
前記設定手段、前記演算手段、前記変動量算出手段、及び前記表示手段の各々を作動指示するための指示手段を更に備えることができる。指示手段によって、設定手段、演算手段、変動量算出手段、及び表示手段の各々を作動指示するための指示が入力されるので、簡易な操作入力により特定領域の診断データの変動量を報知することが可能となる。
【００１６】
前記診断データは、黄色成分の色データとすることができる。人物の体調の変化のうち特定の症状の変化は、該人物の顔画像の特定領域の黄色成分の違いとして現れる場合がある。このため、前記診断データを黄色成分の色データとすれば、黄色成分の違いとして示される症状を示す人物の体調の変化を、容易に報知することができる。
【００１７】
【発明の実施の形態】
本発明の撮像装置に係るデジタルカメラの一の実施の形態を図面に基づき説明する。
【００１８】
図１には、本実施の形態に係るデジタルカメラ１０の主要構成をブロック図として示した。デジタルカメラ１０は、ＣＣＤ（Ｃｈａｒｇｅ  Ｃｏｕｐｌｅｄ  Ｄｅｖｉｃｅ）１２を有している。ＣＣＤ１２は、レンズ１４により得られる被写体からの反射光を撮影画像を示すアナログ画像データ（以下、画像データという）に変換して出力するためのものである。本実施の形態では、被写体としてユーザの顔を用いる場合を説明する。このため、本実施の形態では、ＣＣＤ１２によってユーザの顔を示す画像を含む撮影画像の画像データが得られる。
【００１９】
また、デジタルカメラ１０は、ＣＰＵ２０、ＲＯＭ１６、及びＲＡＭ１８からなるマイクロコンピュータを含んで構成される。これらのＣＰＵ２０、ＲＯＭ１６、及びＲＡＭ１８は、データやコマンドの授受が可能なようにバス３０で接続されている。また、デジタルカメラ１０には、記憶部２２、抽出部２４、信号処理部２６、及び表示制御部２８が設けられている。これらの記憶部２２、抽出部２４、信号処理部２６、及び表示制御部２８には、バス３０が接続され、データやコマンドの授受が可能な構成となっている。
【００２０】
ＲＯＭ１６は、各種プログラムやパラメータ等のデータを記憶するためのものである。ＲＡＭ１８は、主としてワークメモリとして用いられる。抽出部２４は、画像データの画像の黄色成分データ演算対象となる特定領域を設定するためのものである。本実施の形態では、上記黄色成分データ演算対象となる特定領域として、顔を示す画像の白目部分の領域（以下、白目部という）、及び頬部分の領域（以下、頬部という）を採用する場合を説明する。具体的には、抽出部２４は、図５に示すように、撮影画像６７の画像データのユーザの顔の画像６８の白目部７０及び頬部７２を設定する。
【００２１】
なお、本実施の形態では、被写体としてユーザの顔を用いる場合を説明するが、ユーザの手等でもよく顔に限られるものではない。また、本実施の形態では、黄色成分データ演算対象となる特定領域として、顔を示す画像の白目部及び頬部を採用する場合を説明するが、ユーザの病気の改善度合いや体調等が、撮影画像の色の違いによって判別可能な部位であれば、どのような領域であってもよく、例えば、手のひら中央部等であってもよい。
【００２２】
信号処理部２６は、抽出部２４で設定された特定領域内の画像の画像データから、診断用データを演算するためのものである。本実施の形態では、診断用データとして、特定領域内の画像の画像データに含まれる黄色成分のデータを抽出する。なお、診断用データは、画像データに含まれる黄色成分のデータに限るものではなく、赤色成分のデータであってもよい。
【００２３】
記憶部２２は、後述する処理ルーチン、及び各種データを記憶するためのものであり、信号処理部２６で演算された診断用のデータを特定領域毎に日付情報と関連付けて記憶する。本実施の形態では、具体的には、白目部の画像の黄色成分のデータと該当画像が得られた日付情報とを関連付けて記憶すると共に、頬部の画像の黄色成分のデータと該当画像が得られた日付情報とを関連付けて記憶する。また、記憶部２２には、信号処理部２６で演算された白目部及び頬部の診断用のデータに対する基準値となる診断用のデータ（以下、基準データという）を予め記憶することもできる。
【００２４】
この基準データは、例えば、撮影時の特定領域（白目部及び頬部）の診断用データについて、比較対照の基準となるデータであって、この比較対照となる基準データからの変動を示す値（以下、変動量という）を求めるために使用される。基準データの一例には、健康な人物の一般的な白目部及び頬部の画像の画像データに含まれる黄色成分データ等がある。
【００２５】
また、記憶部２２には、ターゲット画像が記憶される。ターゲット画像とは、ユーザ（被写体）を撮影するときにユーザ（撮影者）に対して画角を定めるための位置合わせとなる画像である。ターゲット画像は、後述するスイッチの操作入力により後述するＬＣＤに表示される。このターゲット画像は、例えば、人物の輪郭や目の位置合わせが可能となるような位置合わせのための線等を示す画像である。
【００２６】
また、バス３０には、タイマ３２、ＬＣＤ（液晶表示装置）３４、ストロボ３６、及びＩ／Ｏポート３８が接続されている。タイマ３２は、時刻や日付情報等を読み取るためのものである。ＬＣＤ３４は、スルー画像、ターゲット画像、特定領域の変動量、及び各種メニュー等のデータを表示するためのものである。スルー画像は、ＣＣＤ１２による連続的な撮像によって得られた動画像である。ターゲット画像は、表示制御部２８の制御により、ＬＣＤ３４に表示され、ＬＣＤ３４には、スルー画像と共にターゲット画像が重ねて表示されるようになっている。例えば、ＬＣＤ３４には、図４に示すような、ターゲット画像６４が表示される。
【００２７】
Ｉ／Ｏポート３８には、スイッチ４０が接続されている。ストロボ３６は、図示を省略したストロボ制御部の制御により、手動又は自動で発光するようになっている。本実施の形態のデジタルカメラ１０では、スイッチ４０の指示入力による後述する診断モード指示入力に応じて、被写体輝度にかかわらずストロボ３６を発光させるようになっている。診断モード指示とは、具体的には、ユーザの顔の特定領域（白目部及び頬部）における画像の演算された診断用データの変動量をＬＣＤ３４へ表示するための指示である。本実施の形態では、光源色が一色の状態、すなわち、周囲光の影響を抑制可能な一定条件下で撮影処理が実行されるようになっている。
【００２８】
また、バス３０には、インターフェース（以下、Ｉ／Ｆという）４２が接続されている。Ｉ／Ｆ４２は、画像データを外部メモリ４４へ出力するためのものである。外部メモリ４４は、後述するカードスロットに装着されることによってＩ／Ｆ４２に接続可能である。外部メモリ４４の一例には、ＩＣカードなどのメモリ媒体がある。
【００２９】
なお、上記抽出部２４が、本発明の設定手段に相当し、信号処理部２６が演算手段に相当し、記憶部２２が記憶手段に相当する。また、ＬＣＤ３４が本発明の表示手段に相当する。
【００３０】
図２には、本実施の形態に係るデジタルカメラ１０の外観を背面側から見た斜視図を示した。
【００３１】
デジタルカメラ１０の筐体１２の正面には、被写体像を結像させるためのレンズ１４が設けられている。筐体１２の側面には、外部メモリ４４を装着可能なカードスロット４６が設けられている。外部メモリ４４には、撮影画像の画像データを記憶することができる。筐体１２の上面には、撮影を指示する際にユーザによって押圧操作されるレリーズスイッチ４８が設けられている。また、筐体１２の背面には、ＬＣＤ３４が設けられている。ＬＣＤ３４の近傍には、スイッチ４０が設けられている。本実施の形態では、スイッチ４０として、レリーズスイッチ４８、電源スイッチ５０、診断ボタン５１、メニューボタン５２、上下左右キー５４、実行ボタン５６、及び取消ボタン５８を含んだ構成を採用している。電源スイッチ５０は、ユーザがデジタルカメラ１０の各部への電源電力の供給／供給停止の切り換えを行うときに操作するためのものである。診断ボタン５１は、ユーザの顔の特定領域（白目部及び頬部）における画像の画像データから診断用データを演算し、該診断用データの基準データからの変動量をＬＣＤ３４へ表示する診断モード指示を行うときにユーザによって操作されるものである。メニューボタン５２は、ユーザがＬＣＤ３４へ各種メニュー項目を表示するときに操作するためのものである。上下左右キー５４は、ユーザがＬＣＤ３４に表示された各種メニューから任意のメニュー項目を選択する際に操作するためのものである。実行ボタン５６は、ユーザが各項目の実行開始を指示するときに操作するためのものである。取消しボタン５８は、ユーザが選択した項目の取消指示をする際に操作するためのものである。
【００３２】
なお、上記診断ボタン５１が、本発明の指示手段に相当する。
【００３３】
次に、上記実施の形態に係るデジタルカメラ１０の作用を説明する。
【００３４】
図３には、ＣＰＵ２０で実行される処理ルーチンを示した。電源スイッチ５０によりデジタルカメラ１０に電源が投入されると、所定時間毎に図３に示す処理ルーチンが実行されてステップ１００へ進む。ステップ１００では、診断モード指示がなされたか否かを判断し、否定されると本ルーチンを終了し、肯定されるとステップ１０２へ進む。ステップ１００の判断は、診断ボタン５１による信号受信によって押圧操作されたか否かを判断することによって可能である。ステップ１０２では、ＣＣＤ１２による連続的な撮像によって得られた動画像（スルー画像）をＬＣＤ３４に表示するスルー画像表示処理が実行される。
【００３５】
次にステップ１０４では、オンスクリーンモードが指示されたか否かを判断する。このオンスクリーンモード指示とは、ターゲット画像をＬＣＤ３４へ表示するための指示である。ステップ１０４の判断は、スイッチ４０の押圧指示を判別することで可能である。
【００３６】
例えば、ＬＣＤ３４にオンスクリーンモード項目を含むメニューを表示し、表示された各種メニュー項目の中からオンスクリーンモード項目がユーザによる上下左右キー５４の操作で選択された後に、実行ボタン５６が押圧操作されたときにオンスクリーンモード指示信号を出力するようにする。このオンスクリーンモード指示信号が出力されたか否かを判断することによって、オンスクリーンモード指示がなされたか否かを判断することが可能である。この場合、指示選択のための各種メニュー項目は、ユーザがメニューボタン５２を押圧操作したときに、ＬＣＤ３４上に表示するようにすればよい。
【００３７】
ステップ１０４で否定されるとステップ１０８へ進み、肯定されると、ステップ１０６へ進み、ＬＣＤ３４に記憶部２２に記憶されたターゲット画像を表示した後にステップ１０８へ進む。ステップ１０６の処理によって、ＬＣＤ３４には、スルー画像とともに図４に示すようなターゲット画像６４が表示される。このためユーザ（撮影者）に対して、被写体としての人物の顔の撮影時における位置決めを促すことができる。
【００３８】
なお、このターゲット画像は、例えば、予め通常の撮影処理によって顔色診断処理を実行する対象となるユーザの顔を撮影し、得られた該当ユーザの顔の画像から、エッジ検出処理等により顔の輪郭、目及び白目部分の輪郭情報を抽出して記憶するようにすればよい。また、予め一般的な人物の顔の輪郭、目、及び白目部分の輪郭を示す輪郭情報をターゲット画像として記憶してもよい。
【００３９】
次にステップ１０８では、撮影指示がなされたか否かを判断する。この撮影指示がなされたか否かの判断は、レリーズスイッチ４８による信号受信によって押圧操作されたか否かを判断することによって可能である。
【００４０】
上記ステップ１０８で否定されると、ステップ１２６へ進み、その他の処理が実行され後に本ルーチンを終了する。その他の処理は、デジタルカメラ１０に装備された他の処理を実行するものであり、例えば、画像データの画像の色補正処理などの処理がある。
【００４１】
一方、ステップ１０８で肯定されると、ステップ１１０へ進み、撮影処理が実行されて撮影画像の画像データを得る。この撮影処理は、被写体を撮影するときにおけるＣＣＤ１２からの図示を省略した焦点調整、ズーム、レンズ等による画角調整、そして露光調整などのデジタルカメラ１０の図示しない各種駆動部を駆動して、撮影画像の画像データを得るものである。なお、撮影時には、図示を省略したストロボ制御部の制御により、ストロボ３６が自動発光する。このため、周囲光の影響を抑制可能な一定条件下で撮影処理が実行される。
【００４２】
本実施の形態では、被写体としてユーザの顔を用いる場合を説明するため、ステップ１２０の撮影処理によって、ユーザの顔を示す画像を含む撮影画像の画像データが得られる。
【００４３】
次にステップ１１２では、特定領域設定処理が実行される。ステップ１１２の処理は、抽出部２４によって、上記ステップ１１０で得られた画像データの撮影画像から特定領域を設定するものである。本実施の形態では、特定領域としてユーザの顔を示す画像の白目部及び頬部を採用する場合を説明するため、白目部及び頬部に相当する領域が設定される。ステップ１１２の特定領域設定処理は、例えば、予め顔の頬部、及び白目部を認識するための輪郭情報を記憶部２２に記憶し、記憶された輪郭情報に合致する輪郭情報を撮影によって得られた撮影画像の画像データから特定し、特定した輪郭情報の輪郭内の画像の画像データを特定領域として設定するようにしてもよい。
【００４４】
また、このときに、上記ステップ１０６でＬＣＤ３４に表示されたターゲット画像に応じて、撮影画像の頬部及び白目部に相当する領域を含む領域を推定し、推定した領域内の画像の画像データから、記憶部２２に予め記憶された輪郭情報に合致する輪郭情報の輪郭内の画像の画像データを特定領域として設定するようにしてもよい。このようにすれば、特定領域を精度良く設定することができ、測定誤差を低減することが可能となる。
【００４５】
次にステップ１１４では、上記ステップ１１２で設定された特定領域に含まれる画像の画像データから、診断用データを演算する。本実施の形態では、白目部及び頬部の画像の画像データ各々に含まれる黄色成分のデータを演算する。
【００４６】
次にステップ１１６では、上記ステップ１１４で演算した特定領域の診断用データを記憶部２２に記憶する記憶処理が実行される。ステップ１１６の処理は、上記ステップ１１４で演算された上記特定領域の診断用データを各々の特定領域毎に、タイマ３２から読取った日付情報と関連付けて記憶するものである。本実施の形態では、白目部及び頬部各々の画像の黄色成分のデータを各々、日付情報に関連付けて記憶する。
【００４７】
ステップ１１６の処理によって、撮影実行時のユーザの顔の特定領域の診断用データが、撮影実行時の日付を示す日付情報に関連付けて記憶される。
【００４８】
次にステップ１１８では、記憶部２２に記憶された基準データを読み取る基準データ読取り処理が実行される。本実施の形態では、予め記憶された健康な人物の一般的な白目部及び頬部の画像の画像データから演算された黄色成分データを使用する場合を説明する。
【００４９】
次にステップ１２０では、上記ステップ１１４で演算した特定領域に含まれる画像の診断用データと、上記ステップ１１８で読取った基準データとを比較する。次にステップ１２２において、上記ステップ１２０の比較処理結果に応じて、変動量を算出する。この変動量は、上記ステップ１１４で演算された診断用データの基準データからの変動を示す値であり、例えば、基準データを“１”として算出される。本実施の形態では、白目部及び頬部の黄色成分データ各々の、基準データからの変動を示す値（変動量）が算出される。
【００５０】
次にステップ１２４では、上記ステップ１２２で算出された変動量をＬＣＤ３４に表示する表示処理が実行された後に、本ルーチンを終了する。
【００５１】
例えば、ステップ１２４の表示処理によって、図６に示す変動量が表示され、ＬＣＤ３４には、白目部及び頬部の変動量を示す画像６０が表示される。詳細には、基準データ“１”と比較した白目部の変動量“０．６５”を示す値を示す画像６０Ａが表示されるとともに、基準データ“１”と比較した頬部の変動量“０．４５”を示す値を示す画像６０Ｃが表示される。
【００５２】
以上説明したように、本実施の形態では、撮影によって得られた画像データの撮影画像の人物の顔画像の内の特定領域を設定し、該特定領域内の画像の画像データから診断用データを演算し、演算した診断用データと基準データとを比較して、該診断用データの基準データからの変動量をＬＣＤ３４に表示する。このため、デジタルカメラ１０において、簡易な構成で、ユーザに対して自己診断可能なデータを容易に報知することができる。従って、ユーザに対して、病気の改善度合いやユーザの体調等を自己判断可能なデータを、簡易な装置で報知することが可能となる。
【００５３】
なお、上記ステップ１０８の処理が本発明の画像データ取得手段の機能に相当し、ステップ１１２の処理が設定手段の機能に相当し、ステップ１１４の処理が、本発明の演算手段の機能に相当する。また、上記ステップ１１６の処理が、本発明の記憶手段の機能に相当し、上記ステップ１２２の処理が、本発明の変動量算出手段の機能に相当し、ステップ１２４の処理が、本発明の表示手段の機能に相当する。また、上記ステップ１００の判断は、本発明の指示手段の機能に相当する。
【００５４】
なお、本発明は、上記の実施の形態に限られるものではない。例えば、本実施の形態では、上記ステップ１１８において基準データとして、予め記憶部２２に記憶された健康な人物の一般的な白目部及び頬部の画像の画像データの黄色成分データを使用する場合を説明したが、これに限るものではない。
【００５５】
例えば、上記ステップ１１６で記憶した診断用データの日付情報から換算して、前日、前々日、または一ヶ月前等の所定日数前の日付情報に対応する特定領域の診断用データを基準データとして使用するようにしてもよい。また、これらの複数の所定日数前の日付情報に対応する特定領域の診断用データの平均値を基準データとして使用するようにしてもよい。
【００５６】
このようにすれば、例えば、前日、前々日、または一ヶ月前の診断データ、又はこれらの診断データの平均値からの変動を示す変動量をＬＣＤ３４に表示し、ユーザに対して変動量を報知することができる。
【００５７】
また、上記ステップ１２４において、算出された変動量のＬＣＤ３４への表示時に、撮影が実行された日の診断データの変動量とともに、該撮影日の前日、前々日、及び一ヶ月前の診断データ各々の変動量をＬＣＤ３４に表示してもよい。この場合、該撮影日の前日、前々日、及び一ヶ月前の診断データ各々の変動量は、例えば、基準データからの変動量として算出するようにすればよい。これにより、ユーザに対して診断用データの経時変化を提供することが可能となる。
【００５８】
また、更に、診断用データの日付情報から換算して、前日、前々日、または一ヶ月前等の所定日数前の診断用データから変動傾向を計算し、この変動傾向としての上昇率や下降率を示す変動傾向を示す値を、ＬＣＤ３４に併せて表示するようにしてもよい。この場合、例えば、図６に示すように、白目部の変動傾向を示す画像６０Ｂ及び頬部の変動傾向を示す画像６０ＤがＬＣＤ３４に表示される。
【００５９】
なお、本実施の形態では、基準データは、予め記憶部２２に記憶されているものとして説明したが、スイッチ４０の指示入力によって変更可能としてもよい。
【００６０】
なお、本実施の形態では、撮影処理時にストロボ３６によるストロボ発光を行うことによって、光源色が一色の状態、すなわち周囲光の影響が抑制された環境で被写体の撮影が実行されるようにし、これによって、一定条件下で撮影処理が実行される場合を説明したが、このような形態に限られるものではない。例えば、ユーザの顔の撮影処理時に、均一色に彩色された布等の背景チャートを用意し、この背景チャートの前にユーザ（被写体）の顔が位置するような画角調整を促すメッセージをＬＣＤ３４に表示する。またこのときに、更に同一画角内に、撮影画像の色補整を行うための基準色が形成されたプレート等の基準色再現チャートが位置するように、ユーザ（被写体）に対して前記基準色再現チャートを持つように促すメッセージをＬＣＤ３４に表示する。
【００６１】
これによって、例えば、図７に示すように、ユーザの顔の画像６８とともに、背景チャートの画像７４及び基準色再現チャートの画像７６が含まれた撮影画像６７が撮影によって得られる。これらの背景チャートの画像７４及び基準色再現チャートの画像７６に応じて、画像データの補正処理を行うことによって、周辺光の影響の補正が可能となり、更に精度良く診断用データを演算することが可能となる。
【００６２】
【発明の効果】
以上説明したように、本発明の撮像装置によれば、撮影画像の顔画像の特定領域に対応する画像データに含まれる色成分の診断データを演算し、演算した診断データの基準データからの変動量を算出して表示することができるため、簡易な構成で自己診断可能なデータを容易に報知することができる、という効果が得られる。
【図面の簡単な説明】
【図１】本実施の形態に係るデジタルカメラの主要構成を示すブロック図である。
【図２】本実施の形態に係るデジタルカメラを示す斜視図の一例である。
【図３】本実施の形態に係るデジタルカメラにおける処理の流れを示すフローチャートである。
【図４】ＬＣＤに表示されたターゲット画像の一例を示す模式図である。
【図５】ユーザの顔画像の特定領域を示す模式図である。
【図６】ＬＣＤに表示された変動量の一例を示す模式図である。
【図７】基準色再現チャートを含む画像の一例を示す模式図である。
【符号の説明】
１０  デジタルカメラ
２４  抽出部
２６  信号処理部
２８  表示制御部
５１  診断ボタン
【図１】
2004329620.tif 000003
【図２】
2004329620.tif 000004
【図３】
2004329620.tif 000005
【図４】
2004329620.tif 000006
【図５】
2004329620.tif 000007
【図６】
2004329620.tif 000008
【図７】
2004329620.tif 000009